(57)【要約】【課題】無理な力を必要とせず、かつ確実な流路の遮断ができるクランプ及び医療用具を提供すること。【解決手段】天上部（３）と中央部（２Ａ）と底部（２）とから構成され、前記天上部（３）は、下方に向けて押止部（５）を突設し、当該押止部（５）は前記天上部（３）の近位に基部（５Ｂ）、遠位先端に先端部（５Ａ）を有し、当該先端部（５Ａ）の周囲には係止部（６）を形成し、前記中央部（２Ａ）は、略中央に前記先端部（５Ａ）が通過可能な孔（９Ａ）を形成し、後方に後方壁（１１）を形成し、前記底部（２）は、略中央に孔（９Ｃ）を形成し、前記天上部（３）下面と前記中央部（２Ａ）上面の間に、上下に伸縮可能に形成したバネ部（４）を配置し、前記係止部（６）は、前記中央部（２Ａ）の孔（９Ａ）の係止部（７）に係止できるように形成したクランプ（１）。【選択図】図１
0003130712.tif 000002
【実用新案登録請求の範囲】
【請求項１】
天上部（３）と中央部（２Ａ）と底部（２）とから構成され、
前記天上部（３）は、下方に向けて押止部（５）を突設し、当該押止部（５）は前記天上部（３）の近位に基部（５Ｂ）、遠位先端に先端部（５Ａ）を有し、当該先端部（５Ａ）の周囲には係止部（６）を形成し、
前記中央部（２Ａ）は、略中央に前記先端部（５Ａ）が通過可能な孔（９Ａ）を形成し、後方に後方壁（１１）を形成し、
前記底部（２）は、略中央に孔（９Ｃ）を形成し、
前記天上部（３）下面と前記中央部（２Ａ）上面の間に、上下に伸縮可能に形成したバネ部（４）を配置し、
前記係止部（６）は、前記中央部（２Ａ）の孔（９Ａ）の係止部（７）に係止できるように形成した、ことを特徴するクランプ（１）。
【請求項２】
前記先端部（５Ａ）の周囲に形成した前記係止部（６）の最大幅（６Ｗ）は、前記押止部（５）の基部（５Ｂ）の幅（５ＢＷ）及び前記孔（９Ａ）の幅（９ＡＷ）よりも大きく形成し、
前記孔（９Ａ）の幅（９ＡＷ）は、基部（５Ｂ）の幅（５ＢＷ）よりも実質的に大きく形成した、ことを特徴とする請求項１に記載のクランプ（１）。
【請求項３】
前記底部（２）は、両側に側壁（１２）を略垂直方向に立ち上げて、当該側壁（１２）を介して、天面に中央壁（２Ｂ）を配置し、
当該中央壁（２Ｂ）の略中央には、前記底部（２）の孔（９Ｃ）に略垂直方向に貫通する孔（９Ｂ）を形成し、当該孔（９Ｂ）は周囲に、前記押止部（５）とともにチューブ（Ｔ）を折り曲げた状態で保持するための保持部（１３）を有する、ことを特徴とする請求項１または請求項２に記載のクランプ（１）。
【請求項４】
前記中央部（２Ａ）と前記底部（２）は、少なくとも後方壁（１１）を介して連結され、
前記中央部（２Ａ）に形成した孔（９Ａ）は、前記係止部（６）に対応する係止部（７）を有し、
前記中央部（２Ａ）、前記中央壁（２Ｂ）、前記後方壁（１１）及び底部（２）に囲まれる空間に、チューブ（Ｔ）を着脱できる空間（Ｓ）を形成し、当該空間（Ｓ）内に、チューブ（Ｔ）の支持部（８）を配置した、ことを特徴とする請求項１から請求項３のいずれか１項に記載のクランプ（１）。
【請求項５】
前記中央部（２Ａ）下面及び／又は前記中央壁（２Ｂ）上面に支持部（８）を、一箇所ないし複数箇所形成し、チューブ（Ｔ）を着脱できるようにした、ことを特徴とする請求項１から請求項４のいずれか１項に記載のクランプ（１）。
【請求項６】
天上部（３）と中央部（２Ａ）と底部（２）とから構成され、
前記天上部（３）は、下方に向けて押止部（５）を突設し、当該押止部（５）は下方に向けて順に基部（５Ｂ）と先端部（５Ａ）を有し、先端部（５Ａ）の周囲には係止部（６）を形成し、
前記中央部（２Ａ）は、略中央に前記押止部（５）が通過可能な孔（９Ａ）を形成し、後方に後方壁（１１）を形成し、
前記中央部（２Ａ）は、前記係止部（６）に対応する係止部（７）を有し、
前記底部（２）は、略中央に孔（９Ｃ）を形成し、
前記中央部（２Ａ）は両側に側壁（１２）を略垂直方向に立ち上げて、当該側壁（１２）を介して、天面に中央壁（２Ｂ）を配置し、当該中央壁（２Ｂ）の略中央には、底部（２）の孔（９Ｃ）に略垂直方向に貫通する孔（９Ｂ）を形成し、当該孔（９Ｂ）は、周囲に前記押止部（５）とともにチューブ（Ｔ）を折り曲げた状態で保持するための保持部（１３）を有し、
前記中央部（２Ａ）と前記底部（２）は、少なくとも後方壁（１１）を介して連結され、
前記天上部（３）下面と前記中央部（２Ａ）上面の間に、上下に伸縮可能に形成したバネ部（４）を配置し、
前記中央部（２Ａ）、前記中央壁（２Ｂ）、前記後方壁（１１）及び底部（２）の囲まれる空間に、チューブ（Ｔ）を着脱できる空間（Ｓ）を形成し、
前記中央部（２Ａ）下面及び／又は前記中央壁（２Ｂ）上面に支持部（８）を、一箇所ないし複数箇所形成して、チューブ（Ｔ）を着脱できるようにし、
前記天上部（３）を下方に押したとき、前記押止部（５）の先端部（５Ａ）が、中央部（２Ａ）の孔（９Ａ）から中央壁（２Ｂ）の孔（９Ｂ）の周囲の保持部（１３）に、チューブ（Ｔ）を押し潰しながら折り曲げて液体流路を閉塞し、
前記押止部（５）の前記係止部（６）が、前記係止部（７）に係止することで、チューブ（Ｔ）の閉塞状態を維持できるようにした、ことを特徴とするクランプ（１）。
【請求項７】
請求項１から請求項６のいずれか１項に記載のクランプ（１）を装着したことを特徴とする医療用具。
【考案の詳細な説明】
【技術分野】
【０００１】
本考案は、透析用血液回路、高カロリー輸液バッグ、輸血・輸液セット等の医療用具を構成する液体移送チューブの途中に配置されるクランプの改良に関し、特に一度閉じると二度と開かないクランプに関する。
【背景技術】
【０００２】
医療現場において透析用血液回路、高カロリー輸液バッグ、輸血・輸液セット等に用いられる液体移送チューブを、必要に応じて閉塞させる際、従来からクランプが使用されている。
特に高カロリー輸液バッグなどで輸液を調剤したあと、調剤用のチューブを閉止させる必要がある。この際、閉止部材として用いられるクランプは、液の流れを完全に遮断し、かつ一度閉じたら二度と開かないといった機能が必要である。
【０００３】
前述に用いる、一度閉じると二度と開かない構造のクランプの一つとして、特許文献１のようなクランプが考案されている。
特許文献１のクランプ１は、図２に例示されるように、ヒンジ部４を介して本体２と封止部材３が一体に形成されている。また封止部材３は、複数の嵌合突起部６と嵌合溝部７が一体に形成され、さらにチューブ１３の装着溝１１と保持部材１２が一体に形成される。本体２は外縁部の一端に、前記封止部材１０３の係合突起部１０６と係合溝１０７と対向する位置に嵌合溝部９と嵌合突起部１０が一体に形成されている。
クランプ１は、当該クランプの内側から、前記嵌合突起部６、１０が前記嵌合溝部７、９に、深く嵌合することで、一度嵌合すると二度と外れない構造となっている。
またクランプ１は切欠部１４によって保持部材１２をチューブ１３に装着することができ、また必要に応じてチューブ１３の間をスライドさせることもできる。さらに、クランプ１はチューブに装着できるために、片手で簡単に操作することも可能である。
【０００４】
また特許文献２にも、一度係合させると特殊工具を用いない限り外れることのないチューブクランプＣが開示されている。特許文献２のクランプＣは、図１に例示されるように、ヒンジ３を介して第１基板１と第２基板２が一体に形成されている。第１基板１には爪５が形成され、第２基板２に係合部７が形成され、当該クランプＣの外側から形成されている。
第１基板１と第２基板２を閉じる際、爪５が係止部７に当たって腕部１８がたわんで若干後退し、係止部７が係止面２１に引っかかることで腕部１８が再びもとの位置に戻るため、一度完全に係合すると二度と外れない構造になっている。
【０００５】
特許文献１と特許文献２のクランプは、双方とも二個の箱型構造（本体２と封止部材３、第１基板１と第２基板２）を有し、上述のような構造により確実なチューブ閉塞はできるものの、特許文献１と特許文献２のクランプのようにチューブ上に配置するクランプが大きいと、特に使用前などにはクランプにチューブが絡まったりして邪魔になる可能性がある。また、特許文献１、特許文献２の双方とも、ヒンジ部を介してチューブを挟むように折り曲げる形状であるため、片手では操作するのが難しい。
【０００６】
そこで本願出願人は、特許文献３に記載の、挟持部５ａの周囲に形成した第一係止部６ａ、６ｃ及び第二係止部６ｂ、６ｄが、係止部７ａに係止することで挟持部５ａと挟持部５ｂに挟持され、片手でも容易で確実にチューブを閉塞できる、コンパクトかつ軽量なクランプを考案した。
しかし特許文献３のクランプでは、挟持部５ａ、５ｂの双方からチューブの一箇所のみを潰すことで閉塞する構造であるため、チューブの変形が小さく、チューブ自体を完全に潰さないとリーク等のおそれがある。
【０００７】
また上述の他に、チューブを折り曲げることで流路を遮断するものとして、特許文献４には、チューブを折り返した状態で固定することでチューブ内の流体の流通を遮断するチューブ閉止具が記載されている。具体的には、アルミニウムまたは銅で形成され、巻き付け部２を折り返したチューブに巻き付けて、工具等を必要とせずに容易にチューブの流路を遮断するというものである。
しかし、特許文献４のチューブ閉止具は、巻き付けるという単純な操作でありながら、取扱いや作業に慣れていないと、巻き付けが不充分で完全にチューブを閉塞できなかったり、また、素材が金属であることから、合成樹脂よりもコスト高になったり、使用後の廃棄時に分別等の手間がかかる場合もある。
【特許文献１】実公平６−２８１３６号公報（図２）
【特許文献２】実開平２−１０８５３号公報（図１）
【特許文献３】実用新案登録第３１２０２７９号公報（請求項６、図４）
【特許文献４】実公平１−９５７８号公報（実用新案登録請求の範囲）
【考案の開示】
【考案が解決しようとする課題】
【０００８】
特許文献１と、特許文献２のクランプは、双方とも二個の箱型構造（本体２と封止部材３、第１基板１と第２基板２）で、一度閉じたら二度と開かないように、確実にチューブが閉塞できる構造にしているので、クランプ自体がどうしても大型化してしまう点である。
特許文献３のクランプでは、挟持部の一点で押し潰すのみで閉塞するので、リーク等のおそれがある点、特許文献４の閉止具は、取り扱いや操作に習熟度が必要な点と、金属を用いるのでコスト高になる点である。
【課題を解決するための手段】
【０００９】
扱いが容易で、誰にでも確実にクランプできるとともに、形状がコンパクトであり、使用前からチューブなどに引っかけておいても、他の作業の邪魔にならず、極めて使い勝手のよいクランプを提供する。
［１］本考案は、天上部（３）と中央部（２Ａ）と底部（２）とから構成され、
前記天上部（３）は、下方に向けて押止部（５）を突設し、当該押止部（５）は前記天上部（３）の近位に基部（５Ｂ）、遠位先端に先端部（５Ａ）を有し、当該先端部（５Ａ）の周囲には係止部（６）を形成し、
前記中央部（２Ａ）は、略中央に前記先端部（５Ａ）が通過可能な孔（９Ａ）を形成し、後方に後方壁（１１）を形成し、
前記底部（２）は、略中央に孔（９Ｃ）を形成し、
前記天上部（３）下面と前記中央部（２Ａ）上面の間に、上下に伸縮可能に形成したバネ部（４）を配置し、
前記係止部（６）は、前記中央部（２Ａ）の孔（９Ａ）の係止部（７）に係止できるように形成したクランプ（１）を提供する。
［２］本考案は、前記先端部（５Ａ）の周囲に形成した前記係止部（６）の最大幅（６Ｗ）は、前記押止部（５）の基部（５Ｂ）の幅（５ＢＷ）及び前記孔（９Ａ）の幅（９ＡＷ）よりも大きく形成し、
前記孔（９Ａ）の幅（９ＡＷ）は、基部（５Ｂ）の幅（５ＢＷ）よりも実質的に大きく形成した、ことを特徴とする請求項１に記載のクランプ（１）。
［３］本考案は、前記底部（２）は、両側に側壁（１２）を略垂直方向に立ち上げて、当該側壁（１２）を介して、天面に中央壁（２Ｂ）を配置し、
当該中央壁（２Ｂ）の略中央には、前記底部（２）の孔（９Ｃ）に略垂直方向に貫通する孔（９Ｂ）を形成し、当該孔（９Ｂ）は周囲に、前記押止部（５）とともにチューブ（Ｔ）を折り曲げた状態で保持するための保持部（１３）を有する［１］または［２］に記載のクランプ（１）を提供する。
［４］本考案は、前記中央部（２Ａ）と前記底部（２）は、少なくとも後方壁（１１）を介して連結され、
前記中央部（２Ａ）に形成した孔（９Ａ）は、前記係止部（６）に対応する係止部（７）を有し、
前記中央部（２Ａ）、前記中央壁（２Ｂ）、前記後方壁（１１）及び底部（２）に囲まれる空間に、チューブ（Ｔ）を着脱できる空間（Ｓ）を形成し、当該空間（Ｓ）内に、チューブ（Ｔ）の支持部（８）を配置した［１］から［３］のいずれか１項に記載のクランプ（１）を提供する。
［５］本考案は、前記中央部（２Ａ）下面及び／又は前記中央壁（２Ｂ）上面に支持部（８）を、一箇所ないし複数箇所形成し、チューブ（Ｔ）を着脱できるようにした［１］から［４］のいずれか１項に記載のクランプ（１）を提供する。
［６］本考案は、天上部（３）と中央部（２Ａ）と底部（２）とから構成され、
前記天上部（３）は、下方に向けて押止部（５）を突設し、当該押止部（５）は下方に向けて順に基部（５Ｂ）と先端部（５Ａ）を有し、先端部（５Ａ）の周囲には係止部（６）を形成し、
前記中央部（２Ａ）は、略中央に前記押止部（５）が通過可能な孔（９Ａ）を形成し、後方に後方壁（１１）を形成し、
前記中央部（２Ａ）は、前記係止部（６）に対応する係止部（７）を有し、
前記底部（２）は、略中央に孔（９Ｃ）を形成し、
前記中央部（２Ａ）は両側に側壁（１２）を略垂直方向に立ち上げて、当該側壁（１２）を介して、天面に中央壁（２Ｂ）を配置し、当該中央壁（２Ｂ）の略中央には、底部（２）の孔（９Ｃ）に略垂直方向に貫通する孔（９Ｂ）を形成し、当該孔（９Ｂ）は、周囲に前記押止部（５）とともにチューブ（Ｔ）を折り曲げた状態で保持するための保持部（１３）を有し、
前記中央部（２Ａ）と前記底部（２）は、少なくとも後方壁（１１）を介して連結され、
前記天上部（３）下面と前記中央部（２Ａ）上面の間に、上下に伸縮可能に形成したバネ部（４）を配置し、
前記中央部（２Ａ）、前記中央壁（２Ｂ）、前記後方壁（１１）及び底部（２）の囲まれる空間に、チューブ（Ｔ）を着脱できる空間（Ｓ）を形成し、
前記中央部（２Ａ）下面及び／又は前記中央壁（２Ｂ）上面に支持部（８）を、一箇所ないし複数箇所形成して、チューブ（Ｔ）を着脱できるようにし、
前記天上部（３）を下方に押したとき、前記押止部（５）の先端部（５Ａ）が、中央部（２Ａ）の孔（９Ａ）から中央壁（２Ｂ）の孔（９Ｂ）の周囲の保持部（１３）に、チューブ（Ｔ）を押し潰しながら折り曲げて液体流路を閉塞し、
前記押止部（５）の前記係止部（６）が、前記係止部（７）に係止することで、チューブ（Ｔ）の閉塞状態を維持できるようにしたクランプ（１）を提供する。
［７］本考案は、［１］から［６］のいずれか１項に記載のクランプ（１）を装着した医療用具を提供する。
【考案の効果】
【００１０】
本考案のクランプ１は、（１）押止部５を下方に押し下げて孔９Ｂ内に押し込むことにより、チューブを折り曲げて流路を遮断できるので、チューブを押し潰して流路を遮断する場合に比べて、押止部５はチューブを折り曲げた状態を保持しているに過ぎず、チューブ閉塞時のクランプの、係止部６、７及び先端部５Ａと保持部１３の流路遮断部分への負荷が小さくなり、従来のチューブを潰す閉塞する手段よりも、無理な力を必要とせず確実な流路の遮断ができる。
（２）また、くさび形状の係止部６が係止部７に引っかかって係止されることで、一度閉じたら二度と開くことなくチューブの閉塞状態を保持できる構造にしているので、コンパクトかつ軽量でありながら、誰にでも確実にチューブを閉塞することができる等の効果を有するものである。
【考案を実施するための最良の形態】
【００１１】
図１（Ａ）は本考案のクランプ１の正面図、（Ｂ）は側面図、（Ｃ）は背面図、（Ｄ）は天面図、（Ｅ）は底面図であり、図２の（Ａ）図１（Ａ）のクランプ前の断面図、（Ｂ）図１（Ａ）のクランプしたときの断面図、図３の（Ａ）は中央部２Ａの概略図、（Ｂ）は中央壁２Ｂの概略図、及び図４は本考案のクランプ１の使用状態の概略図（（Ａ）はチューブ閉止前、（Ｂ）はチューブ閉止途中、（Ｃ）はチューブ閉止状態）である。
［クランプ１の概要］
図１に例示するように本考案のクランプ１は、天上部３と中央部２Ａと底部２とから構成される。これらは上から下方向に向けて、天上部３、中央部２Ａ、底部２の順で配置されている。本考案のクランプ１は、ポリプロピレン、ポリアセタール等の硬質ないし半硬質で、可撓性（弾性）を有する合成樹脂を用いて一体に成形される。
【００１２】
［天上部３、押止部５（先端部５Ａ、基部５Ｂ、係止部６）］
天上部３は、図１（Ａ）から（Ｄ）に例示するように、略板状（略矩形状）に形成され、その下面に下方に向けて押止部５を突設している。
押止部５は、略板状（略矩形状）で、天上部３の近位に基部５Ｂ、その遠位先端（下方）に先細りテーパー状に形成した先端部５Ａを有する。押止部５（先端部５Ａ）の左右には、それぞれ係止部６が形成されている。当該係止部６は、図１のような突状に形成されることにより、先端部５Ａがくさび型または山型、略三角形等に形作られ、中央部２Ａの係止部７に係止できるように形成されている。
先端部５Ａの先端は図１（Ａ）、（Ｃ）などのように、チューブを折り曲げる支点となるように略Ｖ字状（鏃状のとがった形状）に形成するのがもっとも好ましいが、チューブをクランプする際、チューブを折り曲げて流路を閉塞できる形状であれば、略Ｕ字状の丸みを帯びたもの（図示せず）も採用することができる。
係止部６の最大幅６Ｗは、押止部５の基部５Ｂの幅５ＢＷ及び孔９Ａの幅９ＡＷよりも広く形成し、孔９Ａの幅９ＡＷは、基部５Ｂの幅５ＢＷよりも実質的に同等か若干広く形成する。また図１の（Ａ）、（Ｃ）などに示すように、係止部６の上部に空間６Ｓを設けることで、クランプ１を構成する材質自体の持つ弾性力により、係止部６は係止部６の最大幅６Ｗよりも狭い孔９Ａの幅９ＡＷを比較的スムーズに通過できるとともに、逆に孔９Ａを一旦通過した係止部６は、幅９ＡＷよりも広い最大幅６Ｗの作用、その形状によって係止部６は係止部７に係止した状態から二度と外れることはない。
なお、最大幅６Ｗと幅９ＡＷのサイズにあまりに差がないと、一旦係止した係止部６と係止部７が外れるおそれがあり、逆に最大幅６が広すぎる（幅９ＡＷが狭すぎる）と、先端部５Ａが孔９Ａをスムーズに通過できず、さらに係止部６と係止部７が係止できない場合も生じる。したがって、係止部６の最大幅６Ｗ：孔９Ａの幅９ＡＷ＝１：１．１〜１．４に形成するのが好ましい。
天上部３の上面には、図１（Ｄ）のように押圧の際に確実に押圧できるための指のすべり防止に、複数の溝１０が形成されている。溝１０は図１（Ｄ）では長さ方向に対して垂直に形成されているが、要するにすべり防止の効果が得られる形状であればよく、形状、本数等は特に限定しない。
【００１３】
［バネ部４］
バネ部４は、図１（Ａ）、（Ｃ）に例示するように、天上部３下面と中央部２Ａ上面の間に二本（二箇所）配置され、天上部３と中央部２Ａを接続している。
二本のバネ部４は、中央部２Ａ上面から上方に延び、「く」の字状に折れ曲がった先端上部に天上部３が接続されている。バネ部４の屈曲部Ｃ及び接続部Ｊは、図１（Ａ）、（Ｃ）のようにやや肉薄に形成することで、チューブ閉塞前（押圧前）は図１の形状を保ちながら、天上部３を下方に押圧するときにはバネ部４全体が折りたたみやすくなり、押止部５で容易にチューブＴを押圧して閉塞できる。
［中央部２Ａ］
中央部２Ａは、図３（Ａ）に例示するように、略板状（略矩形状）に形成され、略中央に前記押止部５の先端部５Ａが通過可能な孔９Ａを形成し、後方に後方壁１１を形成している。後方壁１１は、図１（Ｃ）に例示するように、中央部２Ａと底部２を連結している。
また中央部２Ａは、係止部６に対応する係止部７を有している。図２（Ｂ）の例示では、「係止部７」とは、中央部２Ａ下面の孔９Ａの周辺部（面）である。
孔９Ａには、図１（Ｃ）及び図２（Ａ）のように、チューブ閉塞時に係止部６が通過しやすいように、上から下に向けて斜面ＳＬが形成されている。
【００１４】
［底部２、中央壁２Ｂ］
底部２は、図１（Ｃ）に例示するように、略板状（略矩形状）に形成され、略中央には、孔９Ｃが形成されている。孔９Ｃは、底部２に貫通して形成されている。
また底部２は、両側に側壁１２を略垂直方向に立ち上げて、この側壁１２を介して、天面に中央壁２Ｂを配置している。中央壁２Ｂは、図３（Ｂ）のように略板状（略矩形状）で、略中央に孔９Ｂを形成している。孔９Ｂは、孔９Ｃに連続して略垂直方向に貫通する。
底部２の下面には、図１（Ｅ）に例示するように押圧の際の指のすべり防止に、複数（図１（Ｅ）では保持部１３を挟んで左右に２本ずつ）の凸部１０Ａが形成されている。凸部１０Ａは図１（Ｅ）では長さ方向に対して垂直に形成されているが、要するにすべり防止の効果が得られる形状であればよく、形状、本数等、特に限定しない。
［保持部１３］
「保持部１３」とは、図４（Ｃ）に例示するように、天上部３を押し下げることで先端部５Ａによって折り曲げられたチューブＴが、折り曲げられたまま保持される際に接している孔９Ｂの周囲部分である。当該保持部１３には、先端部５Ａによって折り曲げられたチューブＴが、折り曲げられたままの状態で保持される。
孔９Ｂの幅９ＢＷ（＝保持部１３の幅）は、チューブＴが先端部５Ａに折り曲げられたまま維持できる幅に形成している。この孔９Ｂの幅９ＢＷが広すぎると、チューブＴの流路の完全な遮断ができなかったり、チューブＴが緩んだりするおそれがあり、また狭すぎるとチューブを充分に折り曲げられず、いずれもチューブＴを折り曲げた状態に維持できない。
チューブＴの確実に折り曲げた状態を維持できる幅９ＢＷのサイズとして、例えば図４（Ａ）に示すように、係止部６の最大幅６Ｗよりも狭く形成し、孔９Ｂの幅９ＢＷ：係止部６の最大幅６Ｗ＝１：１．２〜２程度に構成するのが好ましい。
【００１５】
［空間Ｓ］
中央部２Ａ、中央壁２Ｂ、後方壁１１及び底部２の囲まれる空間の（チューブの）長さ方向に、チューブＴを着脱できる空間Ｓを形成し、この空間Ｓ内に、チューブＴの支持部８を配置している。この構成によりクランプ１は、チューブＴにあらかじめ装着しておくこともできるし、必要に応じて使用直前に装着することもできる。
［支持部８］
中央部２Ａ下面及び／又は中央壁２Ｂ上面に突状の支持部８を、一箇所ないし複数箇所形成し、チューブＴを着脱できるようにしている。
図１（Ａ）、（Ｂ）及び（Ｃ）では、チューブＴを支持する支持部８の好適な一例として、空間Ｓ内の、中央部２Ａの下面に二箇所と中央壁２Ｂ上面に二箇所形成されているが、支持部８の形状、位置、個数とも、これに限定されることはなく、要するにクランプ１をチューブＴに容易に装着でき、装着したあとは容易に外れたり移動したりしない構造であれば、何でも採用できる。
【００１６】
［使用例］
本考案のクランプ１は、天上部３を下方に押したとき、押止部５の先端部５Ａが、中央部２Ａの孔９を経て、チューブＴを折り曲げて液体流路を閉塞し、先端部５Ａの係止部６が、係止部７に係止することで、チューブＴの閉塞状態を維持するものであり、その使用の一例について図４を用いて詳述する。
（１）図４（Ａ）のように、クランプ１の空間Ｓに、チューブＴの閉塞の必要な部分を挟み込ませる。突起形状に形成した支持部８により、チューブＴは空間Ｓ内に安定して支持される。
（２）底部２の下面と天上部３上面を、例えば親指と人差し指の二本の指でつまんで、天上部３を下方に押すと、バネ部４の屈曲部Ｃと接続部Ｊが折れ曲がり、上下に縮む。同時に、天上部３から下方に形成されている押止部５の先端部５Ａが中央部２Ａの孔９Ａを通ると同時に、図４（Ｂ）のように（１）のチューブＴを折り曲げながら、中央壁２Ｂの孔９Ｂ周囲の保持部１３にチューブＴを折り曲げたままで押し込む。
（３）中央部２Ａの孔９Ａを通過した先端部５Ａは、その先端部５Ａに形成した係止部６が孔９Ａの係止部７に係止した状態、かつ図４（Ｃ）のようにチューブＴを折り曲げた形状で閉止した状態となる。
また、図２（Ｂ）及び図４（Ｃ）に示すように先端部５Ａの係止部６が引っかかるように係止部７に係止されることで、係止部６のくさび形（山型、略三角形等）状の作用によってクランプ１の閉止は二度と解除されることはない。
【図面の簡単な説明】
【００１７】
【図１】（Ａ）本考案のクランプ１の正面図、（Ｂ）側面図、（Ｃ）背面図、（Ｄ）天面図、（Ｅ）底面図
【図２】（Ａ）図１（Ａ）のクランプ前の断面図、（Ｂ）図１（Ａ）のクランプしたときの断面図
【図３】（Ａ）中央部２Ａの概略図、（Ｂ）中央壁２Ｂの概略図
【図４】本考案のクランプ１の使用状態の概略図（（Ａ）チューブ閉止前（Ｂ）チューブ閉止途中、（Ｃ）チューブ閉止状態）
【符号の説明】
【００１８】
１  クランプ
２  底部
２Ａ  中央部
２Ｂ  中央壁
３  天上部
４  バネ部
５  押止部
５Ａ  先端部
５Ｂ  （押止部５の）基部
５ＢＷ  （基部５Ｂの）幅
６  係止部
６Ｗ  （係止部６の）最大幅
７  係止部
８  （チューブＴの）支持部
９Ａ  （中央部２Ａの）孔
９Ｂ  （中央壁２Ｂの）孔
９Ｃ  （底部２の）孔
９ＡＷ  （孔９Ａの）幅
９ＢＷ  （孔９Ｂの）幅
１０  溝
１０Ａ  凸部
１１  後方壁
１２  側壁
１３  保持部
Ｃ  屈曲部
Ｊ  接続部
ＳＬ  斜面
Ｔ  チューブ
【図１】
0003130712.tif 000003
【図２】
0003130712.tif 000004
【図３】
0003130712.tif 000005
【図４】
0003130712.tif 000006